(57)【要約】【課題】返信メールの作成中であっても受信メールの内容を容易に確認できる携帯電話機を提供する。【解決手段】操作者が操作部８の読み上げ開始ボタンを押すと、制御部９に受信メールの読み上げの開始を指示する信号Ｐ１が制御部９に出力される。制御部９は、信号Ｐ１を受けると記憶部７から受信メールを読み出して音声合成部１０に出力する。音声合成部１０は、受信メールから音声信号を合成して、スピーカ１１に出力する。以上の構成を備えているので、表示部２に返信メールが表示されている場合であっても、スピーカ１１から出力される音声により受信メールの内容を容易に確認できる。【選択図】図２
2007158739.tif 000002
【特許請求の範囲】
【請求項１】
電子メール機能を有する携帯電話機であって、
スピーカと、
受信メールから音声信号を合成し、前記音声信号を前記スピーカに出力する音声合成部と、
前記音声信号の前記スピーカへの出力を指示する読み上げ開始ボタンと、
を備えることを特徴とする携帯電話機。
【請求項２】
返信メールの作成中に、前記読み上げ開始ボタンが押されると、前記受信メールの内容を前記音声信号として前記スピーカに出力することを特徴とする請求項１に記載の携帯電話機。
【請求項３】
前記音声合成部は、返信メールから音声信号をさらに合成することを特徴とする請求項１に記載の携帯電話機。
【請求項４】
前記音声合成部は、前記返信メールから前記受信メールの音声信号とは異なる音声の音声信号を合成することを特徴とする請求項３に記載の携帯電話機。
【請求項５】
返信メールの作成中に、前記読み上げ開始ボタンが押されると、前記受信メールの内容が前記音声信号として前記スピーカから出力されるとともに、前記返信メールの作成後に、前記読み上げ開始ボタンが押されると、前記返信メールの内容が前記音声信号として前記スピーカに出力されることを特徴とする請求項３又は４に記載の携帯電話機。
【発明の詳細な説明】
【技術分野】
【０００１】
本発明は、携帯電話機に関し、特に電子メール機能を有する携帯電話機に関する。
【背景技術】
【０００２】
従来の携帯電話機には、受信メールを読み上げる機能を備えるものがある。例えば、特許文献１に記載の発明では、受信メールを音声合成部により音声信号に変換することで、受信メールの読み上げを行っている。
【０００３】
【特許文献１】特開２００２−７７３１５号公報
【発明の開示】
【発明が解決しようとする課題】
【０００４】
しかしながら、特許文献１に記載の携帯電話機は、受信メールを受信した時のみ、受信メールを読み上げるように構成されている。そのため、返信メールを作成中に受信メールの内容を確認したい場合には、作成中の返信メールを一旦中断し、返信メールの表示を閉じた後、受信メールを表示させる必要があった。
【０００５】
その結果、返信メールの作成中に、受信メールの内容を容易に確認できないという問題があった。
【０００６】
本発明は、以上の問題点に鑑みて為されたものであり、返信メールの作成中であっても受信メールの内容を容易に確認できる携帯電話機を提供する。
【課題を解決するための手段】
【０００７】
請求項１に記載の携帯電話機は、電子メール機能を有する携帯電話機であって、スピーカと、受信メールから音声信号を合成し、前記音声信号を前記スピーカに出力する音声合成部と、前記音声信号の前記スピーカへの出力を指示する読み上げ開始ボタンと、を備えることを特徴とする。
【発明の効果】
【０００８】
請求項１に記載の携帯電話機によれば、返信メールを作成中に受信メールの内容を確認したい場合、読み上げ開始ボタンを押すと、受信メールの内容が音声信号としてスピーカから出力されるため、受信メールの内容を容易に確認できる。
【発明を実施するための最良の形態】
【０００９】
＜実施の形態１＞
＜Ａ．構成＞
図１は、本実施の形態１に係る携帯電話機１の構成を示す図である。携帯電話機１は、メールの送受信を行える電子メール機能を備えている。
【００１０】
携帯電話機１の筐体６には、メールの送受信等を行うためのアンテナ５を備えられている。また、携帯電話機１の筐体６には、メール等の内容を表示する表示部２が備えられ、さらに、メール作成用の入力ボタンや、読み上げ開始ボタン４等、操作者が携帯電話機１を操作する操作部８が備えられている。そして、筐体６には、音声信号を出力するスピーカ１１が備えられている。
【００１１】
読み上げ開始ボタン４は、音声合成部１０（後述する図２参照）によって合成される音声信号のスピーカ１１への出力を指示する。
【００１２】
図２は、本実施の形態１に係る携帯電話機１の内部構成を示すブロック図である。制御部９には、表示部２、記憶部７、操作部８、及び音声合成部１０が接続され、制御部９は、これらの装置を制御する。
【００１３】
記憶部７は、受信メールや返信メールを記憶する。そして、音声合成部１０は、受信メールや返信メール等のテキストデータから音声信号を合成し、その音声信号をスピーカ１１に出力する。
【００１４】
また、音声合成部１０は、操作者が操作部８を操作することにより、受信メール若しくは返信メールから合成される音声を変更できるように構成されている。
【００１５】
＜Ｂ．操作方法＞
次に、図３に参照して、本実施の形態１に係る携帯電話機１の使用方法について説明する。図３は、本実施の形態１に係る携帯電話機１の使用方法を説明するためのフローチャート図である。
【００１６】
まず、携帯電話機１が受信メールを受信すると、受信メールは、記憶部７に記憶される（ステップＳ１）。
【００１７】
次に、操作者は、受信メールを表示部２に表示して内容を確認する（ステップＳ２）。
【００１８】
次に、受信メールの内容を確認した後、操作者は、受信メールに対する返信メールを作成する（ステップＳ３）。このとき、受信メールは閉じられ、表示部２には作成中の返信メールの内容が表示される。
【００１９】
次に、返信メール作成中に受信メールの内容を確認したい場合（ステップＳ４の「Ｙｅｓ」の場合）、ステップＳ５において、操作者は、読み上げ開始ボタン４を押す。
【００２０】
読み上げ開始ボタン４が押されると、携帯電話機１は、受信メールの内容を読み上げる（ステップＳ６）。
【００２１】
具体的には、読み上げ開始ボタン４が押されると、読み上げ開始ボタン４は、音声信号のスピーカ１１への出力を指示する。すると、音声合成部１０は、受信メールから音声信号を合成し、スピーカ１１に出力する。スピーカ１１は、受信メールの内容の音声を出力する。
【００２２】
より具体的には、操作部８の読み上げ開始ボタン４が押されると、制御部９に受信メールの読み上げの開始を指示する信号Ｐ１が制御部９に出力される（図２）。
【００２３】
信号Ｐ１を受けると、制御部９は、記憶部７から受信メールを読み出し、音声合成部１０に出力する。音声合成部１０は、受信メールから音声信号を合成し、スピーカ１１に出力する。スピーカ１１は、受信メールの内容の音声を出力する。
【００２４】
以上のようにして音声により受信メールの内容を確認した後、操作者は、引き続き返信メールを作成する（ステップＳ７）。
【００２５】
返信メールの作成中に受信メールの内容を確認する必要がない場合（ステップＳ４の「Ｎｏ」の場合）は、引き続き返信メールを作成する（ステップＳ７）。
【００２６】
次に、返信メールの作成が完了すると（ステップＳ８の「Ｙｅｓ」の場合）、操作者は、操作部８を操作して音声合成部１０によって合成される音声を、受信メールの音声とは異なる音声に変更する（ステップＳ９）。
【００２７】
返信メールの作成が完了していない場合（ステップＳ８の「Ｎｏ」の場合）は、引き続き返信メールを作成する。
【００２８】
次に、返信メールの作成を完了すると、その内容が記憶部７に記憶される（ステップＳ１０）。
【００２９】
次に、返信メールの作成完了後、返信メールの内容を確認したい場合、読み上げ開始ボタン４を押すと、携帯電話機１は、受信メールの読み上げとは異なる音声で返信メールの内容を読み上げる（ステップＳ１１）。
【００３０】
具体的には、読み上げ開始ボタン４が押されると、読み上げ開始ボタン４は、音声信号のスピーカ１１への出力を指示する。音声合成部１０は、返信メールから音声信号を合成し、スピーカ１１に出力する。スピーカ１１は、返信メールの内容の音声を出力する。
【００３１】
より具体的には、操作部８の読み上げ開始ボタン４が押されると、制御部９に返信メールの読み上げの開始を指示する信号Ｐ２が制御部９に出力される（図２）。
【００３２】
信号Ｐ２を受けると、制御部９は、記憶部７から返信メールを読み出し、音声合成部１０に出力する。音声合成部１０は、返信メールから音声信号を合成し、スピーカ１１に出力する。スピーカ１１は、返信メールの内容の音声を出力する。
【００３３】
返信メールの内容を確認後、操作者は、返信メールを送信する（ステップＳ１２）。
【００３４】
＜Ｃ．効果＞
以上説明したように、本実施の形態１に係る携帯電話機１は、電子メール機能を有する携帯電話機であって、スピーカ１１と、受信メールから音声信号を合成し、音声信号をスピーカ１１に出力する音声合成部１０と、音声信号のスピーカ１１への出力を指示する読み上げ開始ボタン４と、を備えている。
【００３５】
そして、本実施の形態１に係る携帯電話機１は、返信メールの作成中に、読み上げ開始ボタン４が押されると、受信メールの内容を音声信号としてスピーカ１１に出力するように構成されている。そのため、返信メール作成中であっても、返信メールの表示を中止することなく、音声により、受信メールの内容を容易に確認できる。
【００３６】
本実施の形態１に係る携帯電話機１は、音声合成部１０が、返信メールから音声信号をさらに合成するように構成している。
【００３７】
そして、返信メールの作成中に、読み上げ開始ボタン４が押されると、受信メールの内容が音声信号としてスピーカ１１から出力されるとともに、返信メールの作成後に、読み上げ開始ボタン４が押されると、返信メールの内容が音声信号としてスピーカ１１に出力される。
【００３８】
そのため、音声により返信メールの内容も容易に確認できる。
【００３９】
本実施の形態１に係る携帯電話機１は、音声合成部１０が、返信メールから受信メールの音声信号とは異なる音声の音声信号を合成するように構成されている。そのため、受信メールとは異なる音声で送信メールを読み上げられ、受信メールと返信メールを容易に区別できる。
【図面の簡単な説明】
【００４０】
【図１】本実施の形態１に係る携帯電話機の構成を示す図である。
【図２】本実施の形態１に係る携帯電話機の内部構成を示すブロック図である。
【図３】本実施の形態１に係る携帯電話機の操作を説明するためのフローチャート図である。
【符号の説明】
【００４１】
１  携帯電話機、２  表示部、４  読み上げ開始ボタン、５  アンテナ、６  筐体、７  記憶部、８  操作部、９  制御部、１０  音声合成部、１１  スピーカ。
【図１】
2007158739.tif 000003
【図２】
2007158739.tif 000004
【図３】
2007158739.tif 000005